(57)【特許請求の範囲】
【請求項１】
物体側から像側へと順に、
正のパワーを有する第１レンズ群と、
無限遠合焦状態から近接物体合焦状態へのフォーカシングの際に、像面に対して光軸方向に移動するレンズ素子を含む第２レンズ群と、を備え、
前記第１レンズ群は、開口絞りと、前記開口絞りよりも物体側に配置されたレンズ素子Ａを有し、
正のパワーを有するレンズ素子Ｂおよび負のパワーを有するレンズ素子Ｃが前記開口絞りよりも像側に配置され、
以下の条件（１）〜（３）を満足する、単焦点レンズ系：
０．６６０ ＜ ＰｇＦＡ＋０．００１８×νｄＡ＜０．７５  ・・・（１）
０．６６０ ＜ ＰｇＦＢ＋０．００１８×νｄＢ＜０．７５  ・・・（２）
０．６４７ ＜ ＰｇＦＣ＋０．００１８×νｄＣ＜０．７５  ・・・（３）
ここで、
νｄＡ：レンズ素子Ａのｄ線に対するアッベ数、
νｄＢ：レンズ素子Ｂのｄ線に対するアッベ数、
νｄＣ：レンズ素子Ｃのｄ線に対するアッベ数、
ＰｇＦＡ :レンズ素子Ａのｇ線とＦ線との部分分散比、
ＰｇＦＢ :レンズ素子Ｂのｇ線とＦ線との部分分散比、
ＰｇＦＣ :レンズ素子Ｃのｇ線とＦ線との部分分散比
である。
【請求項２】
前記レンズ素子Ｂと、前記レンズ素子Ｃとが、光軸方向に隣接して配置されることを特徴とする請求項１に記載の単焦点レンズ系。
【請求項３】
前記レンズ素子Ｂが、以下の条件（４）を満足する請求項１または２に記載の単焦点レンズ系：
−０．５＜（Ｒ１Ｂ＋Ｒ２Ｂ）／（Ｒ１Ｂ−Ｒ２Ｂ）＜１．０  ・・・（４）
ここで、
Ｒ１Ｂ：レンズ素子Ｂの物体側面の曲率半径、
Ｒ２Ｂ：レンズ素子Ｂの像側面の曲率半径
である。
【請求項４】
前記レンズ素子Ｃが、以下の条件（５）を満足する請求項１から３のいずれかに記載の単焦点レンズ系：
０．２＜（Ｒ１Ｃ＋Ｒ２Ｃ）／（Ｒ１Ｃ−Ｒ２Ｃ）＜３．０  ・・・（５）
ここで、
Ｒ１Ｃ：レンズ素子Ｃの物体側面の曲率半径、
Ｒ２Ｃ：レンズ素子Ｃの像側面の曲率半径
である。
【請求項５】
前記レンズ素子Ｂと、前記レンズ素子Ｃが以下の条件（６）を満足する請求項１から４のいずれかに記載の単焦点レンズ系：
０．３＜｜ｆＢ／ｆＣ｜＜２．５  ・・・（６）
ここで、
ｆＢ：レンズ素子Ｂの焦点距離
ｆＣ：レンズ素子Ｃの焦点距離
である。
【請求項６】
前記第２レンズ群は、負のパワーを有する１枚のレンズ素子Ｄからなり、
以下の条件（７）を満足する請求項１から５のいずれかに記載の単焦点レンズ系：    ０．２＜｜ｆＷ／ｆＤ｜＜３．０  ・・・（７）
ここで、
ｆＷ：全系の無限遠合焦状態での焦点距離、
ｆＤ：レンズ素子Ｄの焦点距離
である。
【請求項７】
請求項１に記載の単焦点レンズ系と、前記単焦点レンズ系が形成する光学像を受光して電気的な画像信号に変換する撮像素子を含むカメラ本体との接続が可能なレンズマウント部とを備える交換レンズ装置。
【請求項８】
請求項１に記載の単焦点レンズ系を含む交換レンズ装置と、
前記交換レンズ装置とカメラマウント部を介して着脱可能に接続され、前記単焦点レンズ系が形成する光学像を受光して電気的な画像信号に変換する撮像素子を含むカメラ本体とを備えるカメラシステム。
【発明の詳細な説明】
【技術分野】
【０００１】
本開示は、単焦点レンズ系、交換レンズ装置及びカメラシステムに関する。
【背景技術】
【０００２】
レンズ交換式デジタルカメラシステム（以下、単に「カメラシステム」ともいう）は、近年急速に普及している。カメラシステムは、高感度で高画質な画像を撮影することができ、フォーカシングや撮影後の画像処理が高速で、撮りたい場面に合わせて手軽に交換レンズ装置を取り替えることができる等の利点がある。
【０００３】
交換レンズ装置に用いるレンズ系としては、従来より、小型で高い光学性能を有するものが求められており、例えば３群構成のレンズ系が種々提案されている。
【０００４】
特許文献１及び２は、正負正の３群構成を有し、開口絞りが第１レンズ群内に配置され、第２レンズ群でフォーカシングを行うレンズ系を開示している。
【先行技術文献】
【特許文献】
【０００５】
【特許文献１】特開２０１２−２４２４７２号公報
【特許文献２】特開２０１３−０３７０８０号公報
【発明の概要】
【発明が解決しようとする課題】
【０００６】
本開示は、色収差を含む諸収差が充分に補正され、周辺部においても高い光学性能を有する単焦点レンズ系を提供する。また本開示は、該単焦点レンズ系を含み、小型で高性能な交換レンズ装置及びカメラシステムを提供する。
【課題を解決するための手段】
【０００７】
本開示における単焦点レンズ系は、物体側から像側へと順に、正のパワーを有する第１レンズ群と、無限遠合焦状態から近接物体合焦状態へのフォーカシングの際に、像面に対して光軸方向に移動するレンズ素子を含む第２レンズ群と、を備える。第１レンズ群は、開口絞りと、開口絞りよりも物体側に配置されたレンズ素子Ａを有している。正のパワーを有するレンズ素子Ｂおよび負のパワーを有するレンズ素子Ｃが開口絞りよりも像側に配置される。以下の条件（１）〜（３）を満足する。
【０００８】
０．６６０ ＜ ＰｇＦＡ＋０．００１８×νｄＡ＜０．７５  ・・・（１）
０．６６０ ＜ ＰｇＦＢ＋０．００１８×νｄＢ＜０．７５  ・・・（２）
０．６４７ ＜ ＰｇＦＣ＋０．００１８×νｄＣ＜０．７５  ・・・（３）
ここで、
νｄＡ：レンズ素子Ａのｄ線に対するアッベ数、
νｄＢ：レンズ素子Ｂのｄ線に対するアッベ数、
νｄＣ：レンズ素子Ｃのｄ線に対するアッベ数、
ＰｇＦＡ :レンズ素子Ａのｇ線とＦ線との部分分散比、
ＰｇＦＢ :レンズ素子Ｂのｇ線とＦ線との部分分散比、
ＰｇＦＣ :レンズ素子Ｃのｇ線とＦ線との部分分散比
である。
【０００９】
本開示における交換レンズ装置は、上記単焦点レンズ系と、単焦点レンズ系が形成する光学像を受光して電気的な画像信号に変換する撮像素子を含むカメラ本体との接続が可能なレンズマウント部とを備える。
【００１０】
本開示におけるカメラシステムは、上記単焦点レンズ系を含む交換レンズ装置と、交換レンズ装置とカメラマウント部を介して着脱可能に接続され、単焦点レンズ系が形成する光学像を受光して電気的な画像信号に変換する撮像素子を含むカメラ本体とを備える。
【発明の効果】
【００１１】
本開示における単焦点レンズ系は、色収差を含む諸収差が充分に補正され、周辺部においても高い光学性能を有する。
【図面の簡単な説明】
【００１２】
【図１】実施の形態１（数値実施例１）に係る単焦点レンズ系の無限遠合焦状態を示すレンズ配置図
【図２Ａ】数値実施例１に係る単焦点レンズ系の無限遠合焦状態の縦収差図
【図２Ｂ】数値実施例１に係る単焦点レンズ系の無限遠合焦状態の縦収差図
【図２Ｃ】数値実施例１に係る単焦点レンズ系の無限遠合焦状態の縦収差図
【図３】実施の形態２（数値実施例２）に係る単焦点レンズ系の無限遠合焦状態を示すレンズ配置図
【図４Ａ】数値実施例２に係る単焦点レンズ系の無限遠合焦状態の縦収差図
【図４Ｂ】数値実施例２に係る単焦点レンズ系の無限遠合焦状態の縦収差図
【図４Ｃ】数値実施例２に係る単焦点レンズ系の無限遠合焦状態の縦収差図
【図５】実施の形態３（数値実施例３）に係る単焦点レンズ系の無限遠合焦状態を示すレンズ配置図
【図６Ａ】数値実施例３に係る単焦点レンズ系の無限遠合焦状態の縦収差図
【図６Ｂ】数値実施例３に係る単焦点レンズ系の無限遠合焦状態の縦収差図
【図６Ｃ】数値実施例３に係る単焦点レンズ系の無限遠合焦状態の縦収差図
【図７】実施の形態４（数値実施例４）に係る単焦点レンズ系の無限遠合焦状態を示すレンズ配置図
【図８Ａ】数値実施例４に係る単焦点レンズ系の無限遠合焦状態の縦収差図
【図８Ｂ】数値実施例４に係る単焦点レンズ系の無限遠合焦状態の縦収差図
【図８Ｃ】数値実施例４に係る単焦点レンズ系の無限遠合焦状態の縦収差図
【図９】実施の形態５（数値実施例５）に係る単焦点レンズ系の無限遠合焦状態を示すレンズ配置図
【図１０Ａ】数値実施例５に係る単焦点レンズ系の無限遠合焦状態の縦収差図
【図１０Ｂ】数値実施例５に係る単焦点レンズ系の無限遠合焦状態の縦収差図
【図１０Ｃ】数値実施例５に係る単焦点レンズ系の無限遠合焦状態の縦収差図
【図１１】実施の形態６に係るレンズ交換式デジタルカメラシステムの概略構成図
【発明を実施するための形態】
【００１３】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、発明者は、当業者が本開示を充分に理解するために添付図面および以下の説明を提供するのであって、これらによって請求の範囲に記載の主題を限定することを意図するものではない。
【００１５】
本開示において、レンズ群とは少なくとも１枚のレンズ素子で構成された群であり、レンズ群を構成するレンズ素子の種類、枚数、配置等に応じて、レンズ群ごとにパワー、合成焦点距離等が決定される。
【００１６】
（実施の形態１〜５）
図１、３、５、７及び９は、各々実施の形態１〜５に係る単焦点レンズ系のレンズ配置図であり、いずれも無限遠合焦状態にある単焦点レンズ系を表している。
【００１７】
各図において、レンズ群に付された矢印は、無限遠合焦状態から近接物体合焦状態へのフォーカシングを表す。すなわち、後述する第２レンズ群Ｇ２が無限遠合焦状態から近接物体合焦状態へのフォーカシングの際に移動する方向を示している。
【００１８】
各図において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表す。
【００１９】
実施の形態１〜５に係る単焦点レンズ系は、物体側から像側へと順に、正のパワーを有する第１レンズ群Ｇ１と、負のパワーを有する第２レンズ群Ｇ２と、正のパワーを有する第３レンズ群Ｇ３とを備える。また、第１レンズ群Ｇ１内には、開口絞りＰが設けられている。
【００２０】
（実施の形態１）
図１に示すように、第１レンズ群Ｇ１は、物体側から像側へと順に、物体側に凸面を向けた正メニスカス形状の第１レンズ素子Ｌ１と、物体側に凸面を向けた負メニスカス形状の第２レンズ素子Ｌ２と、開口絞りＰと、両凹形状の第３レンズ素子Ｌ３と、両凸形状の第４レンズ素子Ｌ４と、両凸形状の第５レンズ素子Ｌ５とからなる。第２レンズ素子Ｌ２は、その物体側及び像側の両面が非球面であり、第３レンズ素子Ｌ３は、その物体側面が非球面であり、第５レンズ素子Ｌ５は、その物体側及び像側の両面が非球面である。
【００２１】
第２レンズ群Ｇ２は、両凹形状の第６レンズ素子Ｌ６のみからなる。第６レンズ素子Ｌ６は、その物体側及び像側の両面が非球面である。
【００２２】
第３レンズ群Ｇ３は、両凸形状の第７レンズ素子Ｌ７と平行平板Ｍとからなる。
【００２３】
無限遠合焦状態から近接物体合焦状態へのフォーカシングの際に、第１レンズ群Ｇ１及び第３レンズ群Ｇ３は、像面Ｓに対して固定されており、フォーカシングレンズ群である第２レンズ群Ｇ２は、光軸に沿って像側へ移動する。
【００２４】
第１レンズ素子Ｌ１および第２レンズ素子Ｌ２はレンズ素子Ａの一例であり、第５レンズ素子Ｌ５はレンズ素子Ｂの一例であり、第６レンズ素子Ｌ６はレンズ素子Ｃの一例である。
【００２５】
（実施の形態２）
図３に示すように、第１レンズ群Ｇ１は、物体側から像側へと順に、物体側に凸面を向けた正メニスカス形状の第１レンズ素子Ｌ１と、物体側に凸面を向けた負メニスカス形状の第２レンズ素子Ｌ２と、開口絞りＰと、両凹形状の第３レンズ素子Ｌ３と、両凸形状の第４レンズ素子Ｌ４と、両凸形状の第５レンズ素子Ｌ５とからなる。これらのうち、第３レンズ素子Ｌ３と第４レンズ素子Ｌ４とは接合されている。第５レンズ素子Ｌ５は、その物体側及び像側の両面が非球面である。
【００２６】
第２レンズ群Ｇ２は、両凹形状の第６レンズ素子Ｌ６のみからなる。第６レンズ素子Ｌ６は、その物体側及び像側の両面が非球面である。
【００２７】
第３レンズ群Ｇ３は、物体側に凸面を向けた正メニスカス形状の第７レンズ素子Ｌ７と平行平板Ｍとからなる。
【００２８】
無限遠合焦状態から近接物体合焦状態へのフォーカシングの際に、第１レンズ群Ｇ１及び第３レンズ群Ｇ３は、像面Ｓに対して固定されており、フォーカシングレンズ群である第２レンズ群Ｇ２は、光軸に沿って像側へ移動する。
【００２９】
第１レンズ素子Ｌ１および第２レンズ素子Ｌ２はレンズ素子Ａの一例であり、第５レンズ素子Ｌ５はレンズ素子Ｂの一例であり、第６レンズ素子Ｌ６はレンズ素子Ｃの一例である。
【００３０】
（実施の形態３）
図５に示すように、第１レンズ群Ｇ１は、物体側から像側へと順に、物体側に凸面を向けた正メニスカス形状の第１レンズ素子Ｌ１と、物体側に凸面を向けた負メニスカス形状の第２レンズ素子Ｌ２と、両凹形状の第３レンズ素子Ｌ３と、開口絞りＰと、両凸形状の第４レンズ素子Ｌ４と、両凸形状の第５レンズ素子Ｌ５とからなる。第３レンズ素子Ｌ３は、その物体側面が非球面であり、第５レンズ素子Ｌ５は、その物体側面が非球面である。
【００３１】
第２レンズ群Ｇ２は、両凹形状の第６レンズ素子Ｌ６のみからなる。第６レンズ素子Ｌ６は、その物体側及び像側の両面が非球面である。
【００３２】
第３レンズ群Ｇ３は、両凸形状の第７レンズ素子Ｌ７と平行平板Ｍとからなる。
【００３３】
無限遠合焦状態から近接物体合焦状態へのフォーカシングの際に、第１レンズ群Ｇ１及び第３レンズ群Ｇ３は、像面Ｓに対して固定されており、フォーカシングレンズ群である第２レンズ群Ｇ２は、光軸に沿って像側へ移動する。
【００３４】
第１レンズ素子Ｌ１、第２レンズ素子Ｌ２および第３レンズ素子Ｌ３のうちの少なくとも１つはレンズ素子Ａの一例であり、第５レンズ素子Ｌ５はレンズ素子Ｂの一例であり、第６レンズ素子Ｌ６はレンズ素子Ｃの一例である。
【００３５】
（実施の形態４）
図７に示すように、第１レンズ群Ｇ１は、物体側から像側へと順に、物体側に凸面を向けた正メニスカス形状の第１レンズ素子Ｌ１と、物体側に凸面を向けた負メニスカス形状の第２レンズ素子Ｌ２と、両凹形状の第３レンズ素子Ｌ３と、両凸形状の第４レンズ素子Ｌ４と、開口絞りＰと、両凸形状の第５レンズ素子Ｌ５とからなる。これらのうち、第３レンズ素子Ｌ３と第４レンズ素子Ｌ４とは接合されている。
【００３６】
第２レンズ群Ｇ２は、両凹形状の第６レンズ素子Ｌ６のみからなる。第６レンズ素子Ｌ６は、その物体側及び像側の両面が非球面である。
【００３７】
第３レンズ群Ｇ３は、物体側から像側へと順に、両凸形状の第７レンズ素子Ｌ７と、像側に凸形状を向けた負メニスカス形状の第８レンズ素子Ｌ８と平行平板Ｍとからなる。第７レンズ素子Ｌ７は、その物体側及び像側の両面が非球面である。
【００３８】
無限遠合焦状態から近接物体合焦状態へのフォーカシングの際に、第１レンズ群Ｇ１及び第３レンズ群Ｇ３は、像面Ｓに対して固定されており、フォーカシングレンズ群である第２レンズ群Ｇ２は、光軸に沿って像側へ移動する。
【００３９】
第１レンズ素子Ｌ１、第２レンズ素子Ｌ２、第３レンズ素子Ｌ３および第４レンズ素子Ｌ４のうちの少なくとも１つはレンズ素子Ａの一例であり、第７レンズ素子Ｌ７はレンズ素子Ｂの一例であり、第６レンズ素子Ｌ６はレンズ素子Ｃの一例である。
【００４０】
（実施の形態５）
図９に示すように、第１レンズ群Ｇ１は、物体側から像側へと順に、物体側に凸面を向けた正メニスカス形状の第１レンズ素子Ｌ１と、両凹形状の第２レンズ素子Ｌ２と、像側に凸面を向けた正メニスカス形状の第３レンズ素子Ｌ３と、開口絞りＰと、両凸形状の第４レンズ素子Ｌ４とからなる。第３レンズ素子Ｌ３は、その物体側及び像側の両面が非球面である。
【００４１】
第２レンズ群Ｇ２は、物体側に凸面を向けた負メニスカス形状の第５レンズ素子Ｌ５のみからなる。第５レンズ素子Ｌ５は、その物体側及び像側の両面が非球面である。
【００４２】
第３レンズ群Ｇ３は、物体側から像側へと順に、両凸形状の第６レンズ素子Ｌ６と、像側に凸形状を向けた負メニスカス形状の第７レンズ素子Ｌ７とからなる。
【００４３】
無限遠合焦状態から近接物体合焦状態へのフォーカシングの際に、第１レンズ群Ｇ１及び第３レンズ群Ｇ３は、像面Ｓに対して固定されており、フォーカシングレンズ群である第２レンズ群Ｇ２は、光軸に沿って像側へ移動する。
【００４４】
第１レンズ素子Ｌ１、第２レンズ素子Ｌ２および第３レンズ素子Ｌ３のうちの少なくとも１つはレンズ素子Ａの一例であり、第６レンズ素子Ｌ６はレンズ素子Ｂの一例であり、第５レンズ素子Ｌ５はレンズ素子Ｃの一例である。
【００４５】
実施の形態１〜５に係る単焦点レンズ系では、開口絞りＰと、開口絞りＰよりも物体側に配置され、パワーを有するレンズ素子Ａと、開口絞りＰよりも像側に配置され、正のパワーを有するレンズ素子Ｂおよび負のパワーを有するレンズ素子Ｃを備えるので、周辺部における色収差を良好に補正することができる。
【００４６】
実施の形態１〜５に係る単焦点レンズ系では、レンズ素子Ｂと、レンズ素子Ｃとが、光軸方向に隣接して配置されているので、軸上色収差、倍率色収差を良好に補正できる。
【００４７】
実施の形態１〜５に係る単焦点レンズ系では、第２レンズ群Ｇ２内の、少なくとも１枚のレンズ素子で構成される第２サブレンズ群であるフォーカシングレンズ群が、負のパワーを有する１枚のレンズ素子Ｄからなるので、フォーカシング距離に応じた収差の変動が小さく、またフォーカシングレンズ群が軽量であるので、高速フォーカシングが容易である。
【００４８】
以上のように、本出願において開示する技術の例示として、実施の形態１〜５を説明した。しかしながら、本開示における技術は、これに限定されず、適宜、変更、置き換え、付加、省略などを行った実施の形態にも適用可能である。
【００４９】
以下、例えば実施の形態１〜５に係る単焦点レンズ系のごとき単焦点レンズ系が満足することが可能な条件を説明する。なお、各実施の形態に係る単焦点レンズ系に対して、複数の可能な条件が規定されるが、これら複数の条件すべてを満足する単焦点レンズ系の構成が最も効果的である。しかしながら、個別の条件を満足することにより、それぞれ対応する効果を奏する単焦点レンズ系を得ることも可能である。
【００５０】
例えば実施の形態１〜５に係る単焦点レンズ系のように、物体側から像側へと順に、正のパワーを有する第１レンズ群と、無限遠合焦状態から近接物体合焦状態へのフォーカシングの際に、像面に対して光軸方向に移動する１枚のレンズ素子を含む第２レンズ群と、を備える。第１レンズ群は、開口絞りと、開口絞りよりも物体側に配置されたレンズ素子Ａを有し、正のパワーを有するレンズ素子Ｂおよび負のパワーを有するレンズ素子Ｃが開口絞りよりも像側に配置された構成（以下、このレンズ構成を、実施の形態の基本構成という）単焦点レンズ系は、以下の条件（１）〜（３）を満足する。
【００５１】
０．６４７ ＜ ＰｇＦＡ＋０．００１８×νｄＡ＜０．７５  ・・・（１）
０．６４７ ＜ ＰｇＦＢ＋０．００１８×νｄＢ＜０．７５  ・・・（２）
０．６４７ ＜ ＰｇＦＣ＋０．００１８×νｄＣ＜０．７５  ・・・（３）
ここで、
νｄＡ：レンズ素子Ａのｄ線に対するアッベ数、
νｄＢ：レンズ素子Ｂのｄ線に対するアッベ数、
νｄＣ：レンズ素子Ｃのｄ線に対するアッベ数、
ＰｇＦＡ :レンズ素子Ａのｇ線とＦ線との部分分散比
ＰｇＦＢ :レンズ素子Ｂのｇ線とＦ線との部分分散比
ＰｇＦＣ :レンズ素子Ｃのｇ線とＦ線との部分分散比
である。
【００５２】
条件（１）〜（３）は、レンズ素子Ａ〜Ｃの部分分散比を規定する条件である。条件（１）〜（３）の下限を下回ると、レンズ素子Ａ〜Ｃによる色収差の補正が過剰になり、その結果、色収差が良好に補正されないおそれがある。（１）〜（３）の上限を上回ると、レンズ素子Ｉによる色収差の補正が不足し、その結果、色収差の補正が不充分となるおそれがある。
【００５３】
以下の条件（１）’ −１、（１）’−２、（１）’’−１及び（１）’’−２の少なくとも１つを満足することにより、効果をさらに奏功させることができる。
【００５４】
０．６５０ ＜ ＰｇＦＡ＋０．００１８×νｄＡ  ・・・（１）’−１
ＰｇＦＡ＋０．００１８×νｄＡ＜０．７０     ・・・（１）’−２
０．６６０ ＜ ＰｇＦＡ＋０．００１８×νｄＡ  ・・・（１）’’−１
ＰｇＦＡ＋０．００１８×νｄＡ＜０．６７     ・・・（１）’’−２
以下の条件（２）’ −１、（２）’−２、（２）’’−１及び（２）’’−２の少なくとも１つを満足することにより、効果をさらに奏功させることができる。
【００５５】
０．６５０ ＜ ＰｇＦＢ＋０．００１８×νｄＢ  ・・・（２）’−１
ＰｇＦＢ＋０．００１８×νｄＢ＜０．７０     ・・・（２）’−２
０．６６０ ＜ ＰｇＦＢ＋０．００１８×νｄＢ  ・・・（２）’’−１
ＰｇＦＢ＋０．００１８×νｄＢ＜０．６７     ・・・（２）’’−２
以下の条件（３）’ −１、（３）’−２、（３）’’−１及び（３）’’−２の少なくとも１つを満足することにより、効果をさらに奏功させることができる。
【００５６】
０．６５０ ＜ ＰｇＦＣ＋０．００１８×νｄＣ  ・・・（３）’−１
ＰｇＦＣ＋０．００１８×νｄＣ＜０．７０     ・・・（３）’−２
０．６６０ ＜ ＰｇＦＣ＋０．００１８×νｄＣ  ・・・（３）’’−１
ＰｇＦＣ＋０．００１８×νｄＣ＜０．６７     ・・・（３）’’−２
例えば実施の形態１〜５に係る単焦点レンズ系のように、基本構成を有し、レンズ素子Ｂを有する単焦点レンズ系は、以下の条件（４）を満足することが有益である。
【００５７】
−０．５＜（Ｒ１Ｂ＋Ｒ２Ｂ）／（Ｒ１Ｂ−Ｒ２Ｂ）＜１．０  ・・・（４）
ここで、
Ｒ１Ｂ：レンズ素子Ｂの物体側面の曲率半径、
Ｒ２Ｂ：レンズ素子Ｂの像側面の曲率半径
である。
【００５８】
条件（４）は、レンズ素子Ｂのシェイプファクターを規定する条件である。条件（４）の下限を下回るか、または条件式（４）の上限を上回ると、レンズ素子Ｂの有効径付近を通る光線の収差が増大し、球面収差及び像面湾曲が発生し易く、結像性能が低下するおそれがある。
【００５９】
以下の条件（４）’ −１、（４）’−２、（４）’’−１及び（４）’’−２の少なくとも１つを満足することにより、効果をさらに奏功させることができる。
【００６０】
−０．２ ＜（Ｒ１Ｂ＋Ｒ２Ｂ）／（Ｒ１Ｂ−Ｒ２Ｂ）  ・・・（４）’−１
（Ｒ１Ｂ＋Ｒ２Ｂ）／（Ｒ１Ｂ−Ｒ２Ｂ）＜０．５     ・・・（４）’−２
０．１５ ＜（Ｒ１Ｂ＋Ｒ２Ｂ）／（Ｒ１Ｂ−Ｒ２Ｂ）・・・（４）’ ’−１
（Ｒ１Ｂ＋Ｒ２Ｂ）／（Ｒ１Ｂ−Ｒ２Ｂ）＜０．２５   ・・・（４）’ ’−２
例えば実施の形態１〜５に係る単焦点レンズ系のように、基本構成を有し、レンズ素子Ｃを有する単焦点レンズ系は、以下の条件（５）を満足することが有益である。
【００６１】
０．２＜（Ｒ１Ｃ＋Ｒ２Ｃ）／（Ｒ１Ｃ−Ｒ２Ｃ）＜３．０  ・・・（５）
ここで、
Ｒ１Ｃ：レンズ素子Ｃの物体側面の曲率半径、
Ｒ２Ｃ：レンズ素子Ｃの像側面の曲率半径
である。
【００６２】
条件（５）は、レンズ素子Ｃのシェイプファクターを規定する条件である。条件（５）の下限を下回るか、または条件式（５）の上限を上回ると、レンズ素子Ｂの有効径付近を通る光線の収差が増大し、球面収差及び像面湾曲が発生し易く、結像性能が低下するおそれがある。
【００６３】
以下の条件（５）’ −１、（５）’−２、（５）’’−１及び（５）’’−２の少なくとも１つを満足することにより、効果をさらに奏功させることができる。
【００６４】
０．６ ＜（Ｒ１Ｃ＋Ｒ２Ｃ）／（Ｒ１Ｃ−Ｒ２Ｃ）  ・・・（５）’−１
（Ｒ１Ｃ＋Ｒ２Ｃ）／（Ｒ１Ｃ−Ｒ２Ｃ）＜２．２     ・・・（５）’−２
１．０ ＜（Ｒ１Ｃ＋Ｒ２Ｃ）／（Ｒ１Ｃ−Ｒ２Ｃ）  ・・・（５）’ ’−１
（Ｒ１Ｃ＋Ｒ２Ｃ）／（Ｒ１Ｃ−Ｒ２Ｃ）＜１．３     ・・・（５）’ ’−２
例えば実施の形態１〜５に係る単焦点レンズ系のように、基本構成を有する単焦点レンズ系は、以下の条件（６）を満足することが有益である。
【００６５】
０．３＜｜ｆＢ／ｆＣ｜＜２．５  ・・・（６）
ここで、
ｆＢ：レンズ素子Ｂの焦点距離
ｆＣ：レンズ素子Ｃの焦点距離
である。
【００６６】
条件（６）は、レンズ素子Ｂの焦点距離と、レンズ素子Ｃの焦点距離の比率を規定する条件である。条件（６）の下限を下回るか、または条件式（６）の上限を上回ると、レンズ素子Ｂで発生する色収差と、レンズ素子Ｃで発生する色収差の打消しの関係が悪化するため、結像性能が低下するおそれがある。
【００６７】
以下の条件（６）’−１、（６）’−２、（６）’’−１及び（６）’’−２の少なくとも１つを満足することにより、効果をさらに奏功させることができる。
【００６８】
０．４＜｜ｆＢ／ｆＣ｜  ・・・（６）’−１
｜ｆＢ／ｆＣ｜＜１．６  ・・・（６）’−２
０．４８＜｜ｆＢ／ｆＣ｜・・・（６）’ ’−１
｜ｆＢ／ｆＣ｜＜０．５７・・・（６）’ ’−２
例えば実施の形態１〜５に係る単焦点レンズ系のように、基本構成を有し、フォーカシングレンズ群が、負のパワーを有する１枚のレンズ素子Ｄからなる単焦点レンズ系は、以下の条件（７）を満足することが有益である。
【００６９】
０．２＜｜ｆＷ／ｆＤ｜＜３．０  ・・・（７）
ここで、
ｆＷ：全系の無限遠合焦状態での焦点距離、
ｆＤ：レンズ素子Ｄの焦点距離
である。なお、実施の形態１〜５において、このレンズ素子Ｄは前述のレンズ素子Ｃと同じである場合を例示している。
【００７０】
条件（７）は、レンズ素子Ｄの焦点距離を規定する条件である。条件（７）の下限を下回ると、フォーカシングレンズ群の移動量が大きくなり、レンズ系全体の全長が長くなるおそれがある。条件（７）の上限を上回ると、フォーカシングレンズ群によって大きな収差が発生するため、フォーカシング距離に応じた収差の変化が大きくなるおそれがある。
【００７１】
以下の条件（７）’−１、（７）’−２、（７）’’−１及び（７）’’−２の少なくとも１つを満足することにより、効果をさらに奏功させることができる。
【００７２】
０．３５＜｜ｆＷ／ｆＤ｜  ・・・（７）’−１
｜ｆＷ／ｆＤ｜＜１．８    ・・・（７）’−２
０．５０＜｜ｆＷ／ｆＤ｜  ・・・（７）’ ’−１
｜ｆＷ／ｆＤ｜＜０．６    ・・・（７）’ ’−２
実施の形態１〜５に係る単焦点レンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【００７３】
（実施の形態６）
図１１は、実施の形態６に係るレンズ交換式デジタルカメラシステムの概略構成図である。
【００７４】
本実施の形態６に係るカメラシステム１００は、カメラ本体１０１と、カメラ本体１０１に着脱自在に接続される交換レンズ装置２０１とを備える。
【００７５】
カメラ本体１０１は、交換レンズ装置２０１の単焦点レンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜５いずれかに係る単焦点レンズ系２０２と、単焦点レンズ系２０２を保持する鏡筒２０３と、カメラ本体１０１のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図１１においては、単焦点レンズ系２０２として実施の形態１に係る単焦点レンズ系を用いた場合を図示している。
【００７６】
本実施の形態６では、実施の形態１〜５いずれかに係る単焦点レンズ系２０２を用いているので、コンパクトで結像性能に優れた交換レンズ装置を低コストで実現することができる。また、本実施の形態６に係るカメラシステム１００全体の小型化及び低コスト化も達成することができる。
【００７７】
以上のように、本出願において開示する技術の例示として、実施の形態６を説明した。しかしながら、本開示における技術は、これに限定されず、適宜、変更、置き換え、付加、省略などを行った実施の形態にも適用可能である。
【００７８】
以下、実施の形態１〜５に係る単焦点レンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、νｄはｄ線に対するアッベ数である。
【００７９】
また、各数値実施例において、ｎＣはＣ線に対する屈折率、ｎＦはＦ線に対する屈折率、ｎｇはｇ線に対する屈折率である。ＰｇＦはｇ線とＦ線との部分分散比であり、次式により求められる。
【００８０】
ＰｇＦ＝（ｎｇ−ｎＦ）／（ｎＦ−ｎＣ）
さらに、各数値実施例において、＊印を付した面は非球面であり、非球面形状は次式で定義している。
【００８１】
【数１】
0006650578.tif 000002
【００８２】
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【００８３】
図２Ａ、２Ｂ、２Ｃ、４Ａ、４Ｂ、４Ｃ、６Ａ、６Ｂ、６Ｃ、８Ａ、８Ｂ、８Ｃ、１０Ａ、１０Ｂ及び１０Ｃは、各々数値実施例１〜５に係る単焦点レンズ系の無限遠合焦状態の縦収差図である。
【００８４】
図２Ａ、４Ａ、６Ａ、８Ａ及び１０Ａは、球面収差（ＳＡ（ｍｍ））を示す。図２Ｂ、４Ｂ、６Ｂ、８Ｂ及び１０Ｂは、非点収差（ＡＳＴ（ｍｍ））を示す。図２Ｃ、４Ｃ、６Ｃ、８Ｃ及び１０Ｃは、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００８５】
（数値実施例１）
数値実施例１の単焦点レンズ系は、図１に示した実施の形態１に対応する。数値実施例１の単焦点レンズ系の面データ１を表１に、面データ２を表２に、非球面データを表３に、各種データを表４に、単レンズデータを表５に、レンズ群データを表６に、レンズ群倍率を表７に示す。
表  １（面データ１）
面番号           r           d           nd       vd   
物面             ∞        可変     
1         21.82570     5.31700     1.90366    31.3 
2         66.51370     2.05780     
3*        96.74280     2.00000     1.52996    55.8 
4*         9.12840    11.49760     
5(絞り)            ∞     3.51470     
6*       -25.38440     1.20000     1.63550    23.9 
7         83.34490     0.72520     
8         55.28840     4.88430     1.72916    54.7 
9        -17.10090     0.15000     
10*       35.67000     5.98630     1.52996    55.8 
11*      -22.19540        可変     
12*     -149.80450     2.00000     1.63550    23.9 
13*       12.61840        可変     
14        48.71060     6.07790     1.84666    23.8 
15       -35.34990    11.43000     
16              ∞     4.20000     1.51680    64.2 
17              ∞      BF     
像面            ∞         
表  ２（面データ２）
面番号        nC          nF          ng         PgF
物面
1       1.89526     1.92412     1.94128     0.59467 
2       
3       1.52713     1.53662     1.54205     0.57218 
4       
5(絞り)   
6       1.62800     1.65460     1.67140     0.63158 
7       
8       1.72510     1.73844     1.74571     0.54521 
9       
10      1.52713     1.53662     1.54205     0.57218 
11      
12      1.62800     1.65460     1.67140     0.63158 
13      
14      1.83649     1.87209     1.89413     0.61908 
15      
16      1.51432     1.52237     1.52667     0.53418 
17      
表  ３（非球面データ）
第3面
K= 0.00000E+00, A4= 1.95207E-05, A6=-9.81210E-08, A8= 2.71450E-10 
A10= 0.00000E+00, A12= 0.00000E+00 
第4面
K= 0.00000E+00, A4= 1.69672E-06, A6= 9.39629E-08, A8=-5.08386E-09 
A10= 0.00000E+00, A12= 0.00000E+00 
第6面
K= 0.00000E+00, A4=-1.15216E-04, A6= 5.29641E-08, A8=-2.99237E-10 
A10= 0.00000E+00, A12= 0.00000E+00 
第10面
K= 0.00000E+00, A4= 1.38272E-05, A6=-9.10686E-08, A8= 1.02820E-09 
A10=-5.48203E-12, A12= 0.00000E+00 
第11面
K= 0.00000E+00, A4= 1.72020E-05, A6= 1.51350E-07, A8= 0.00000E+00 
A10= 0.00000E+00, A12= 0.00000E+00 
第12面
K= 2.28019E-15, A4= 6.80547E-06, A6=-5.02168E-07, A8= 4.09336E-09 
A10=-1.25341E-11, A12= 2.28019E-15 
第13面
K=-6.36846E-01, A4= 2.38781E-05, A6=-8.31023E-07, A8= 6.38516E-09 
A10=-2.15468E-11, A12= 0.00000E+00
表  ４（各種データ）
無限遠        973        248
焦点距離       25.8748     25.8727     25.6433
Ｆナンバー     1.76015     1.76848     1.79547
画角         22.6837     22.6293     22.4573
像高         10.8150     10.8150     10.8150
レンズ全長     72.9999     73.0140     72.9984
ＢＦ         1.00013     1.00018     1.00015
d0                ∞    900.0000    175.0000 
d11           1.9000      2.2645      3.6419 
d13           9.0590      8.7085      7.3155 
入射瞳位置     24.2227     24.2227     24.2227
射出瞳位置   -305.2179   -263.1768   -167.9363
前側主点位置   47.9111     47.5545     45.8944
後側主点位置   47.1252     46.4150     43.9872
表  ５（単レンズデータ）
レンズ    始面    焦点距離
1       1      34.0270
2       3     -19.1709
3       6     -30.4877
4       8      18.4371
5      10      26.7764
6      12     -18.2261
7      14      25.0236
表  ６（レンズ群データ）
群    始面    焦点距離   レンズ構成長   前側主点位置   後側主点位置
1      1     17.81257      37.33290      35.47462      36.56059
2     12    -18.22608       2.00000       1.12249       1.90545
3     14     25.02360      21.70790       1.97260       6.07737
表  ７（レンズ群倍率）
群   始面     無限遠         973        248
1      1     0.00000    -0.01941    -0.09246
2     12     4.33097     4.31177     4.23532
3     14     0.33540     0.33540     0.33540
（数値実施例２）
数値実施例２の単焦点レンズ系は、図３に示した実施の形態２に対応する。数値実施例２の単焦点レンズ系の面データ１を表８に、面データ２を表９に、非球面データを表１０に、各種データを表１１に、単レンズデータを表１２に、レンズ群データを表１３に、レンズ群倍率を表１４に示す。
表  ８（面データ１）
面番号           r           d           nd       vd   
物面             ∞        可変     
1         25.02720     4.87800     1.90366    31.3 
2         94.79720     3.17490 
3         55.65910     1.20000     1.49700    81.6 
4          8.91430     8.54800 
5(絞り)            ∞     5.76680 
6        -14.43470     1.00000     1.75211    25.0 
7         41.97300     4.82520     1.77250    49.6 
8        -16.89330     0.15000 
9*        22.00960     9.03320     1.52996    55.8 
10*      -15.81130     可変 
11*      -86.95920     1.40000     1.63550    23.9 
12*       17.63200     可変 
13        25.93640     5.18220     1.94595    18.0 
14       220.08890    11.43000 
15              ∞     4.20000     1.51680    64.2 
16              ∞      BF 
像面 ∞ 
表  ９（面データ２）
面番号        nC          nF          ng         PgF
物面
1       1.89526     1.92412     1.94128     0.59467 
2       
3       1.49514     1.50123     1.50451     0.53875 
4       
5(絞り)    
6       1.74352     1.77355     1.79214     0.61909 
7       1.76780     1.78336     1.79193     0.55025 
8       
9       1.52713     1.53662     1.54205     0.57218 
10      
11      1.62800     1.65460     1.67140     0.63158 
12      
13      1.93123     1.98383     2.01825     0.65443 
14      
15      1.51432     1.52237     1.52667     0.53418 
16 
表  １０（非球面データ）
第9面
K= 0.00000E+00, A4=-2.86768E-05, A6=-5.27238E-08, A8= 5.67553E-11 
A10=-2.80993E-12, A12= 0.00000E+00 
第10面
K= 0.00000E+00, A4= 6.69403E-05, A6=-5.91281E-08, A8= 0.00000E+00 
A10= 0.00000E+00, A12= 0.00000E+00 
第11面
K= 2.28019E-15, A4= 5.73625E-06, A6= 6.21066E-07, A8=-7.51177E-09 
A10= 2.85176E-11, A12= 2.28019E-15 
第12面
K= 7.26541E-01, A4=-2.96497E-05, A6= 6.16921E-07, A8=-7.30393E-09 
A10= 1.96498E-11, A12= 0.00000E+00
表  １１（各種データ）
無限遠         970        245
焦点距離        24.2168     24.0471     23.3004
Ｆナンバー      1.76129     1.76009     1.75371
画角          24.3618     24.4568     24.8092
像高          10.8150     10.8150     10.8150
レンズ全長      70.0042     70.0051     70.0109
ＢＦ          1.01426     1.01502     1.01771
d0                 ∞    900.0000    175.0000 
d10            1.9000      2.3133      3.8717 
d12            6.3016      5.8885      4.3332 
入射瞳位置      20.6816     20.6816     20.6816
射出瞳位置    -148.8612   -138.3937   -108.7145
前側主点位置    40.9854     40.5618     38.9025
後側主点位置    45.7873     45.3271     43.8622
表  １２（単レンズデータ）
レンズ    始面    焦点距離
1       1      36.4213
2       3     -21.5404
3       6     -14.1731
4       7      16.1703
5       9      18.9282
6      11     -22.9485
7      13      30.6832
表  １３（レンズ群データ）
群    始面    焦点距離   レンズ構成長   前側主点位置   後側主点位置
1      1     18.51518      38.57610      36.32860      38.47542
2     11    -22.94845       1.40000       0.70802       1.25644
3     13     30.68317      20.81220      -0.35120       3.63305
表  １４（レンズ群倍率）
群   始面     無限遠         970        245
1      1     0.00000    -0.02017    -0.09603
2     11     3.21318     3.19538     3.12832
3     13     0.40706     0.40703     0.40694
（数値実施例３）
数値実施例３の単焦点レンズ系は、図５に示した実施の形態３に対応する。数値実施例３の単焦点レンズ系の面データ１を表１５に、面データ２を表１６に、非球面データを表１７に、各種データを表１８に、単レンズデータを表１９に、レンズ群データを表２０に、レンズ群倍率を表２１に示す。
表  １５（面データ１）
面番号           r           d           nd       vd   
物面             ∞        可変     
1         26.34740     4.82410     1.90366    31.3 
2         95.31930     3.50000     
3         51.30700     1.20000     1.48749    70.4 
4          9.22560    13.50000     
5*       -19.43460     1.00000     1.63550    23.9 
6         51.75270     1.16220     
7(絞り)            ∞     0.00000     
8         86.29710     4.82920     1.72916    54.7 
9        -15.83660     0.20000     
10*       32.54860     7.05470     1.53380    55.6 
11       -21.70610     可変     
12*      -90.79550     1.40000     1.63550    23.9 
13*       14.57300     可変     
14        42.24090     5.76770     1.92119    24.0 
15       -49.71390    14.25450     
16              ∞     4.20000     1.51680    64.2 
17              ∞      BF     
像面            ∞ 
表  １６（面データ２）
面番号        nC          nF          ng         PgF
物面
1       1.89526     1.92412     1.94128     0.59467 
2       
3       1.48535     1.49227     1.49594     0.53049 
4       
5       1.62800     1.65460     1.67140     0.63158 
6       
7(絞り)    
8       1.72510     1.73844     1.74571     0.54521 
9       
10      1.53100     1.54060     1.54600     0.56232 
11      
12      1.62800     1.65460     1.67140     0.63158 
13      
14      1.91020     1.94865     1.97250     0.62010 
15      
16      1.51432     1.52237     1.52667     0.53418 
17      
表  １７（非球面データ）
第5面
K= 0.00000E+00, A4=-7.66900E-05, A6= 0.00000E+00, A8= 0.00000E+00 
A10= 0.00000E+00 
第10面
K= 0.00000E+00, A4=-1.28009E-05, A6=-8.00822E-08, A8= 0.00000E+00 
A10= 0.00000E+00 
第12面
K= 0.00000E+00, A4=-6.90258E-06, A6=-7.04833E-08, A8= 3.07942E-10 
A10=-4.21582E-13 
第13面
K= 0.00000E+00, A4=-3.69945E-05, A6=-1.61692E-07, A8=-3.62657E-10 
A10= 0.00000E+00
表  １８（各種データ）
無限遠         973        248
焦点距離       25.7099     25.6841     25.3688
Ｆナンバー     1.73731     1.75106     1.79970
画角         22.8143     22.6065     21.8726
像高         10.8150     10.8150     10.8150
レンズ全長     72.9997     73.0053     73.0024
ＢＦ         0.99974     0.99978     0.99978
d0                ∞    900.0000    175.0000 
d11           1.9000      2.3179      3.9020 
d13           7.2076      6.7952      5.2082 
入射瞳位置     29.2007     29.2007     29.2007
射出瞳位置    -65.5789    -63.5328    -56.3758
前側主点位置   44.9825     44.5475     42.6578
後側主点位置   47.2899     46.6032     44.2866
表  １９（単レンズデータ）
レンズ    始面    焦点距離
1       1      38.9993
2       3     -23.2913
3       5     -22.1119
4       8      18.7246
5      10      25.5510
6      12     -19.6585
7      14      25.5593
表  ２０（レンズ群データ）
群    始面    焦点距離   レンズ構成長   前側主点位置   後側主点位置
1      1     19.28173      37.27020      35.74611      36.89902
2     12    -19.65851       1.40000       0.73383       1.28222
3     14     25.55935      24.22220       1.42185       5.52532
表  ２１（レンズ群倍率）
群   始面     無限遠         973        248
1      1     0.00000    -0.02104    -0.10071
2     12     5.81305     5.79211     5.71138
3     14     0.22938     0.22938     0.22938
（数値実施例４）
数値実施例４の単焦点レンズ系は、図７に示した実施の形態４に対応する。数値実施例４の単焦点レンズ系の面データ１を表２２に、面データ２を表２３に、非球面データを表２４に、各種データを表２５に、単レンズデータを表２６に、レンズ群データを表２７に、レンズ群倍率を表２８に示す。
表  ２２（面データ１）
面番号           r           d           nd       vd   
物面             ∞        可変     
1         23.87850     4.30000     2.00069    25.5 
2        127.86160     1.52650 
3        183.86990     0.70000     1.51742    52.1 
4         10.05570     7.32680     
5        -14.14930     2.77000     1.75211    25.0 
6         22.42770     5.15000     1.72916    54.7 
7        -18.52000     0.60000     
8(絞り)            ∞     1.70000     
9         36.68800     5.50000     1.80420    46.5 
10       -51.79840     可変     
11*      253.21040     2.50000     1.53380    55.6 
12*       22.11050     可変     
13*       31.35910     6.50000     1.53380    55.6 
14*      -20.34910     3.54720     
15       -30.62420     1.00000     1.58144    40.9 
16       -82.33480    10.80000     
17              ∞     4.20000     1.51680    64.2 
18              ∞     1.00000     
19              ∞      BF     
像面            ∞     
表  ２３（面データ２）
面番号        nC          nF          ng         PgF
物面
1       1.98941     2.02872     2.05283     0.61349 
2       
3       1.51444     1.52436     1.52990     0.55883 
4       
5       1.74352     1.77355     1.79214     0.61909 
6       1.72510     1.73844     1.74571     0.54521 
7       
8       
9       1.79900     1.81630     1.82594     0.55785 
10      
11      1.53100     1.54060     1.54600     0.56232 
12      
13      1.53100     1.54060     1.54600     0.56232 
14      
15      1.57723     1.59145     1.59965     0.57667 
16      
17      1.51432     1.52237     1.52667     0.53418 
18      
19      
表  ２４（非球面データ）
第11面
K= 0.00000E+00, A4= 1.61276E-05, A6=-5.81668E-07, A8=-2.09502E-09 
A10= 7.71341E-10, A12=-2.10800E-11, A14= 2.38633E-13, A16=-1.00673E-15
第12面
K= 0.00000E+00, A4= 1.81047E-05, A6= 1.27838E-06, A8=-1.03829E-07 
A10= 3.56865E-09, A12=-6.09424E-11, A14= 5.06181E-13, A16=-1.58084E-15
第13面
K= 0.00000E+00, A4= 1.78062E-05, A6= 2.01697E-07, A8=-9.59188E-09 
A10= 2.58013E-10, A12=-3.40082E-12, A14= 2.22992E-14, A16=-5.27487E-17
第14面
K= 0.00000E+00, A4= 4.87160E-05, A6=-1.55628E-07, A8= 3.63235E-09 
A10=-5.25127E-11, A12= 9.47811E-13, A14=-9.91324E-15, A16= 4.47375E-17
表  ２５（各種データ）
無限遠         1011        246
焦点距離       25.8784     26.0073     26.0867
Ｆナンバー     1.76012     1.79041     1.91463
画角         23.6324     23.1232     21.1160
像高         10.8150     10.8150     10.8150
レンズ全長     71.0046     71.0088     71.0046
ＢＦ         0.00461     0.00488     0.00594
d0                ∞     939.5121   175.0000 
d10           2.3500       3.4869     8.6131 
d12           9.5295       8.3965     3.2651 
入射瞳位置     19.8824      19.8824    19.8824
射出瞳位置    -64.2371     -62.2690   -53.0287
前側主点位置   35.3363      34.9025    32.1589
後側主点位置   45.1263      44.2883    41.1597
表  ２６（単レンズデータ）
レンズ    始面    焦点距離
1       1      28.7470
2       3     -20.5869
3       5     -11.1722
4       6      14.6906
5       9      27.4664
6      11     -45.5552
7      13      24.1767
8      15     -84.4622
表  ２７（レンズ群データ）
群    始面    焦点距離   レンズ構成長   前側主点位置   後側主点位置
1      1     30.51097      29.57330      26.42482      32.69836
2     11    -45.55524       2.50000       1.79263       2.65653
3     13     31.31949      26.04720       0.86548       5.09828
表  ２８（レンズ群倍率）
群   始面     無限遠        1011        246
1      1     0.00000    -0.03262    -0.17852
2     11     2.83624     2.81144     2.69906
3     13     0.29905     0.29904     0.29900
（数値実施例５）
数値実施例５の単焦点レンズ系は、図９に示した実施の形態５に対応する。数値実施例５の単焦点レンズ系の面データ１を表２９に、面データ２を表３０に、非球面データを表３１に、各種データを表３２に、単レンズデータを表３３に、レンズ群データを表３４に、レンズ群倍率を表３５に示す。
表  ２９（面データ１）
面番号           r           d           nd       vd   
物面             ∞        可変     
1         24.71640     3.70750     1.94595    18.0 
2        178.46780     1.84880     
3       -255.15060     0.70000     1.84666    23.8 
4         11.73970    15.17090     
5*      -273.46320     5.36000     1.53380    55.6 
6*       -19.32630     1.03570     
7(絞り)            ∞     1.46430     
8         28.39560     4.14820     1.72916    54.7 
9        -89.34800        可変     
10*       42.81990     2.35890     1.63550    23.9 
11*       10.59360        可変     
12        22.14210     5.91100     1.53380    55.6 
13       -24.38950     7.61930     
14       -14.84820     0.80000     1.51680    64.2 
15       -30.35070    10.43010     
16              ∞     4.20000     1.51680    64.2 
17              ∞      BF     
像面            ∞     
表  ３０（面データ２）
面番号        nC          nF          ng         PgF
物面
1       1.93123     1.98383     2.01825     0.65443 
2       
3       1.83649     1.87209     1.89413     0.61908 
4       
5       1.53100     1.54060     1.54600     0.56232 
6       
7       
8       1.72510     1.73844     1.74571     0.54521 
9       
10      1.62800     1.65460     1.67140     0.63158 
11      
12      1.53100     1.54060     1.54600     0.56232 
13      
14      1.51432     1.52237     1.52667     0.53418 
15      
16      1.51432     1.52237     1.52667     0.53418 
17      
表  ３１（非球面データ）
第5面
K=-1.40898E+01, A4=-4.06632E-05, A6= 5.24314E-07, A8=-1.82351E-08 
A10= 2.58975E-10, A12=-6.08695E-13, A14=-1.20636E-14, A16= 7.23165E-17
第6面
K=-1.07472E+00, A4=-3.07368E-05, A6=-7.85089E-08, A8= 2.97635E-10 
A10=-1.04537E-10, A12= 2.75209E-12, A14=-2.53195E-14, A16= 8.30044E-17
第10面
K= 1.21551E+01, A4=-2.15878E-04, A6= 2.35425E-06, A8=-2.98953E-08 
A10= 7.56047E-11, A12= 5.37545E-12, A14=-7.93906E-14, A16= 3.37126E-16
第11面
K=-5.98312E-01, A4=-2.46478E-04, A6= 3.41000E-06, A8=-3.62066E-08 
A10=-8.31722E-10, A12= 3.90458E-11, A14=-5.34728E-13, A16= 2.51787E-15
表  ３２（各種データ）
無限遠       1014        255
焦点距離       24.1502     24.0731     23.6389
Ｆナンバー     1.78016     1.80136     1.88535
画角         24.1239     23.8739     22.9258
像高         10.8150     10.8150     10.8150
レンズ全長     74.5756     74.5965     74.6096
ＢＦ         0.99270     1.01329     1.02616
d0                ∞    939.5121    180.0000 
d9            1.3821      1.7376      3.2117 
d11           7.4461      7.0909      5.6170 
入射瞳位置     20.6022     20.6022     20.6022
射出瞳位置    -40.6406    -40.3034    -38.8601
前側主点位置   30.7436     30.4380     29.0865
後側主点位置   50.4254     49.9107     47.9575
表  ３３（単レンズデータ）
レンズ    始面    焦点距離
1       1      29.9777
2       3     -13.2400
3       5      38.6744
4       8      29.9969
5      10     -22.7979
6      12      22.7474
7      14     -57.2563
表  ３４（レンズ群データ）
群    始面    焦点距離   レンズ構成長   前側主点位置   後側主点位置
1      1     18.63567      33.43540      27.15524      39.49239
2     10    -22.79789       2.35890       1.97254       2.84690
3     12     29.78519      28.96040      -2.87687       2.63961
表  ３５（レンズ群倍率）
群   始面     無限遠        1014        255
1      1     0.00000    -0.01966    -0.09885
2     10    15.61636    15.73302    15.75216
3     12     0.08298     0.08229     0.08186
以下の表３６に、各数値実施例の単焦点レンズ系における各条件の対応値を示す。
【００８６】
【表３６】
0006650578.tif 000003
【００８７】
以上のように、本開示における技術の例示として、実施の形態を説明した。そのために、添付図面および詳細な説明を提供した。
【００８８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８９】
また、上述の実施の形態は、本開示における技術を例示するためのものであるから、特許請求の範囲またはその均等の範囲において種々の変更、置き換え、付加、省略などを行うことができる。
【産業上の利用可能性】
【００９０】
本開示は、デジタルスチルカメラ、デジタルビデオカメラ、スマートフォン等の携帯情報端末のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能である。特に本開示は、デジタルスチルカメラシステム、デジタルビデオカメラシステムといった高画質が要求される撮影光学系に適用可能である。
【符号の説明】
【００９１】
Ｇ１    第１レンズ群
Ｇ２    第２レンズ群
Ｇ３    第３レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｍ    平行平板
Ｐ    開口絞り
Ｓ    像面
１００    カメラシステム
１０１    カメラ本体
１０２    撮像素子
１０３    液晶モニタ
１０４    カメラマウント部
２０１    交換レンズ装置
２０２    単焦点レンズ系
２０３    鏡筒
２０４    レンズマウント部
【図１】
0006650578.tif 000004
【図２Ａ】
0006650578.tif 000005
【図２Ｂ】
0006650578.tif 000006
【図２Ｃ】
0006650578.tif 000007
【図３】
0006650578.tif 000008
【図４Ａ】
0006650578.tif 000009
【図４Ｂ】
0006650578.tif 000010
【図４Ｃ】
0006650578.tif 000011
【図５】
0006650578.tif 000012
【図６Ａ】
0006650578.tif 000013
【図６Ｂ】
0006650578.tif 000014
【図６Ｃ】
0006650578.tif 000015
【図７】
0006650578.tif 000016
【図８Ａ】
0006650578.tif 000017
【図８Ｂ】
0006650578.tif 000018
【図８Ｃ】
0006650578.tif 000019
【図９】
0006650578.tif 000020
【図１０Ａ】
0006650578.tif 000021
【図１０Ｂ】
0006650578.tif 000022
【図１０Ｃ】
0006650578.tif 000023
【図１１】
0006650578.tif 000024